【手続補正書】
【提出日】平成30年5月2日(2018.5.2)
【手続補正１】
【補正対象書類名】明細書
【補正対象項目名】００５２
【補正方法】変更
【補正の内容】
【００５２】
上術の詳細な説明及び実施例はあくまで理解を助けるために示したものに過ぎない。詳細な説明及び実施形態から無用の限定はないと理解すべきである。本開示の範囲から逸脱することなく、記載された実施形態において多くの変更を行うことができることが、当業者には明白であろう。上記の実施形態のいずれかに関して記載されたいずれかの特徴又は特性は、個々に、又は他のいずれかの特徴又は特性と組み合わせて組み込むことができ、単に明確性のために上記の順番及び組み合わせで提示される。したがって本発明の範囲は、本明細書に記載された正確な詳細及び構造に限定されるべきではなく、特許請求の範囲の文言による記載、及びそれらの構造と等価物によって限定される。
以下、本発明の態様について説明する。
〔態様１〕
個人用保護器具のテザーであって、
ポリマーブレンドを含む細長いテザーを備え、前記テザーは対向する第１端及び第２端と、前記第１端及び前記第２端を分離する長さとを規定しており、
前記テザーは前記長さが初期長さ（Ｌ１）である初期状態を実現するように構成されており、
更に、前記テザーは第１の温度（Ｔ１）において、前記初期状態から延伸されたときに、延伸状態を自己保持するように構成されており、前記延伸状態の長さは前記Ｌ１を超える延伸長さ（Ｌ２）であり、
その上さらに、前記テザーは、Ｔ１より高い第２の温度（Ｔ２）まで加熱されたときに、前記延伸状態から回復状態へ自己移行するように構成されており、前記回復状態の長さが、Ｌ２未満の回復長さ（Ｌ３）である、テザー。
〔態様２〕
Ｔ１が５０℃以下であり、更にＴ２が６０℃以上である、態様１に記載のテザー。
〔態様３〕
Ｔ１が３０℃以下である、態様２に記載のテザー。
〔態様４〕
Ｌ２が２×Ｌ１以上であり、更にＬ３が１．５×Ｌ２以下である、態様１に記載のテザー。
〔態様５〕
Ｌ２が３×Ｌ１以上である、態様１に記載のテザー。
〔態様６〕
Ｌ２が５×Ｌ１以上であり、更にＬ３が４×Ｌ２以下である、態様１に記載のテザー。
〔態様７〕
前記テザーが、１分間以下のある期間Ｔ２まで加熱されたときに、前記延伸状態から前記回復状態へ自己移行するように構成されている、態様６に記載のテザー。
〔態様８〕
Ｔ２が６０℃〜８０℃の範囲である、態様７に記載のテザー。
〔態様９〕
前記テザーが少なくとも６０％の形状記憶率ＲＳを示す、態様１に記載のテザー。
〔態様１０〕
前記テザーが、５ポンド（２２Ｎ）以下の引張力を受けたときに、５×Ｌ１以上のＬ２で前記延伸状態へ移行するように構成されている、態様１に記載のテザー。
〔態様１１〕
前記テザーが５０％以上の固定率Ｒｆを示す、態様１に記載のテザー。
〔態様１２〕
前記ポリマーブレンドが少なくとも２つの熱可塑性エラストマーポリマーを含む、態様１に記載のテザー。
〔態様１３〕
前記ポリマーブレンドが、エチレン酢酸ビニル（ＥＶＡ）、熱可塑性ポリウレタン（ＴＰＵ）、熱可塑性オレフィン（ＴＰＯ）、及びスチレン−ブタジエンコポリマーからなる群から選択される少なくとも２つの材料を含む、態様１に記載のテザー。
〔態様１４〕
前記ポリマーブレンドがエチレン酢酸ビニル（ＥＶＡ）及び熱可塑性ポリウレタン（ＴＰＵ）を含む、態様１に記載のテザー。
〔態様１５〕
前記ポリマーブレンドが５０重量％〜９５重量％のＥＶＡを含む、態様１４に記載のテザー。
〔態様１６〕
前記ポリマーブレンドが５重量％〜５０重量％のＴＰＵを含む、態様１５に記載のテザー。
〔態様１７〕
前記ポリマーブレンドが６０重量％〜８０重量％のＥＶＡ及び１０重量％〜３０重量％のＴＰＵを含む、態様１６に記載のテザー。
〔態様１８〕
前記第１端に取り付けられた第１の聴覚保護部材を更に含む、態様１に記載のテザー。
〔態様１９〕
前記第２端に取り付けられた第２の聴覚保護部材を更に含む、態様１８に記載のテザー。
〔態様２０〕
前記第１の聴覚保護部材及び前記第２の聴覚保護部材が耳栓である、態様１９に記載のテザー。
〔態様２１〕
前記第１端が、耳栓、保護めがね、安全帽、呼吸用マスク、通信器具及び聴覚保護器具からなる群から選択される個人用保護器具に取り付けられた、態様１に記載のテザー。
〔態様２２〕
ポリマーブレンドを含む細長いテザーであり、前記テザーは、対向する第１端及び第２端と、前記第１端及び前記第２端を分離する長さと、を規定しており、
前記テザーは前記長さが初期長さ（Ｌ１）である初期状態を実現するように構成されており、
更に、前記テザーは、第１の温度（Ｔ１）で前記初期状態から延伸されたときに、延伸状態を自己保持するように構成されており、前記延伸状態の長さは前記Ｌ１を超える長さ（Ｌ２）であり、
その上さらに、前記テザーは、Ｔ１より高い第２の温度（Ｔ２）まで加熱されたときに延伸状態から回復状態へ自己移行するように構成されており、前記回復状態の長さは、Ｌ２未満の回復長さ（Ｌ３）である、テザーと、
前記第１端及び前記第２端に取り付けられた個人用保護アセンブリと、
を備える、個人用保護器具。
〔態様２３〕
前記個人用保護アセンブリが、前記第１端に取り付けられた第１の聴覚保護部材と、前記第２端に取り付けられた第２の聴覚保護部材とを備える、態様２２に記載の個人用保護器具。
〔態様２４〕
前記第１の聴覚保護部材及び前記第２の聴覚保護部材がそれぞれ耳栓である、態様２３に記載の個人用保護器具。
〔態様２５〕
個人用保護器具の使用方法であって、
個人用保護器具を受け取る工程であって、
前記器具が、ポリマーブレンドを含む細長いテザーであって、前記テザーが対向する第１端及び第２端と、前記第１端及び前記第２端を分離する長さと、を規定する、テザーを備えており、
前記受け取る工程では、前記長さが初期長さ（Ｌ１）である初期状態にある前記テザーが含まれている、工程と、
前記テザーを延伸状態まで移行させるために、前記テザーに第１の温度（Ｔ１）で延伸力を加える工程であって、
前記延伸状態の長さがＬ１を超える長さ（Ｌ２）であり、かつ前記テザーが前記延伸状態を自己保持する、工程と、
前記テザーをＴ１より高い第２の温度（Ｔ２）まで加熱する工程であって、
前記加熱する工程では、前記延伸状態から回復状態まで自己移行するテザーが含まれており、更に前記回復状態の長さがＬ２未満である回復長さ（Ｌ３）である、工程と、
前記延伸状態の前記テザーを備える前記個人用保護器具を着用する工程と、
を含む、方法。
〔態様２６〕
Ｔ１が５０℃未満であり、更にＴ２が６０℃〜８０℃である、態様２５に記載の方法。
〔態様２７〕
前記テザーを加熱する工程が前記テザーを温水に入れることを含む、態様２５に記載の方法。
〔態様２８〕
前記テザーを加熱する工程の後に、
前記テザーを第２の延伸状態に移行させるために、前記テザーにＴ２未満の温度で第２の延伸力を加える工程であって、
前記第２の延伸状態の長さが少なくとも２×Ｌ３である第２の延伸長さ（Ｌ４）である、工程と、
前記第２の延伸力を加えた工程の後、前記テザーをＴ１より高い温度まで加熱する工程であって、
前記第２の延伸力を加える工程の後の前記加熱する工程には、前記第２の延伸状態から第２の回復状態まで自己移行するテザーが含まれ、更に前記第２の回復状態の長さがＬ４未満である第２の回復長さ（Ｌ５）である、工程と、
を更に含む、態様２５に記載の方法。
〔態様２９〕
包装された個人用聴覚保護物品であって、前記物品は、
個人用聴覚保護器具であって、
ポリマーブレンドを含む細長いテザーであって、前記テザーは対向する第１端及び第２端と、前記第１端及び前記第２端を分離する長さと、を規定しており、
前記テザーは前記長さが初期長さ（Ｌ１）である初期状態を実現するように構成されており、
更に前記テザーは、第１の温度（Ｔ１）で前記初期状態から延伸されたときに延伸状態を自己保持するように構成されており、前記延伸状態の長さはＬ１を超える長さ（Ｌ２）であり、
その上さらに前記テザーは、Ｔ１より高い第２の温度（Ｔ２）まで加熱されたときに前記延伸状態から回復状態へ自己移行するように構成されており、前記回復状態の長さはＬ２未満である回復長さ（Ｌ３）である、テザーと、
前記第１端に取り付けられた第１の耳栓と、
前記第２端に取り付けられた第２の耳栓と、を備える、個人用聴覚保護器具と、
前記個人用聴覚保護器具を収容する密封パッケージと、
を含む、物品。
【手続補正２】
【補正対象書類名】特許請求の範囲
【補正対象項目名】全文
【補正方法】変更
【補正の内容】
【特許請求の範囲】
【請求項１】
個人用保護器具のテザーであって、
ポリマーブレンドを含む細長いテザーを備え、前記テザーは対向する第１端及び第２端と、前記第１端及び前記第２端を分離する長さとを規定しており、
前記テザーは前記長さが初期長さ（Ｌ１）である初期状態を実現するように構成されており、
更に、前記テザーは第１の温度（Ｔ１）において、前記初期状態から延伸されたときに、延伸状態を自己保持するように構成されており、前記延伸状態の長さは前記Ｌ１を超える延伸長さ（Ｌ２）であり、
その上さらに、前記テザーは、Ｔ１より高い第２の温度（Ｔ２）まで加熱されたときに、前記延伸状態から回復状態へ自己移行するように構成されており、前記回復状態の長さが、Ｌ２未満の回復長さ（Ｌ３）である、テザー。
【請求項２】
Ｔ１が５０℃以下であり、更にＴ２が６０℃以上である、請求項１に記載のテザー。
【請求項３】
ポリマーブレンドを含む細長いテザーであり、前記テザーは、対向する第１端及び第２端と、前記第１端及び前記第２端を分離する長さと、を規定しており、
前記テザーは前記長さが初期長さ（Ｌ１）である初期状態を実現するように構成されており、
更に、前記テザーは、第１の温度（Ｔ１）で前記初期状態から延伸されたときに、延伸状態を自己保持するように構成されており、前記延伸状態の長さは前記Ｌ１を超える長さ（Ｌ２）であり、
その上さらに、前記テザーは、Ｔ１より高い第２の温度（Ｔ２）まで加熱されたときに延伸状態から回復状態へ自己移行するように構成されており、前記回復状態の長さは、Ｌ２未満の回復長さ（Ｌ３）である、テザーと、
前記第１端及び前記第２端に取り付けられた個人用保護アセンブリと、
を備える、個人用保護器具。
【請求項４】
前記個人用保護アセンブリが、前記第１端に取り付けられた第１の聴覚保護部材と、前記第２端に取り付けられた第２の聴覚保護部材とを備える、請求項３に記載の個人用保護器具。
【請求項５】
前記第１の聴覚保護部材及び前記第２の聴覚保護部材がそれぞれ耳栓である、請求項４に記載の個人用保護器具。
【請求項６】
個人用保護器具の使用方法であって、
個人用保護器具を受け取る工程であって、
前記器具が、ポリマーブレンドを含む細長いテザーであって、前記テザーが対向する第１端及び第２端と、前記第１端及び前記第２端を分離する長さと、を規定する、テザーを備えており、
前記受け取る工程では、前記長さが初期長さ（Ｌ１）である初期状態にある前記テザーが含まれている、工程と、
前記テザーを延伸状態まで移行させるために、前記テザーに第１の温度（Ｔ１）で延伸力を加える工程であって、
前記延伸状態の長さがＬ１を超える長さ（Ｌ２）であり、かつ前記テザーが前記延伸状態を自己保持する、工程と、
前記テザーをＴ１より高い第２の温度（Ｔ２）まで加熱する工程であって、
前記加熱する工程では、前記延伸状態から回復状態まで自己移行するテザーが含まれており、更に前記回復状態の長さがＬ２未満である回復長さ（Ｌ３）である、工程と、
前記延伸状態の前記テザーを備える前記個人用保護器具を着用する工程と、
を含む、方法。
【請求項７】
Ｔ１が５０℃未満であり、更にＴ２が６０℃〜８０℃である、請求項６に記載の方法。
【請求項８】
前記テザーを加熱する工程が前記テザーを温水に入れることを含む、請求項６に記載の方法。
【請求項９】
前記テザーを加熱する工程の後に、
前記テザーを第２の延伸状態に移行させるために、前記テザーにＴ２未満の温度で第２の延伸力を加える工程であって、
前記第２の延伸状態の長さが少なくとも２×Ｌ３である第２の延伸長さ（Ｌ４）である、工程と、
前記第２の延伸力を加えた工程の後、前記テザーをＴ１より高い温度まで加熱する工程であって、
前記第２の延伸力を加える工程の後の前記加熱する工程には、前記第２の延伸状態から第２の回復状態まで自己移行するテザーが含まれ、更に前記第２の回復状態の長さがＬ４未満である第２の回復長さ（Ｌ５）である、工程と、
を更に含む、請求項６に記載の方法。
【請求項１０】
包装された個人用聴覚保護物品であって、前記物品は、
個人用聴覚保護器具であって、
ポリマーブレンドを含む細長いテザーであって、前記テザーは対向する第１端及び第２端と、前記第１端及び前記第２端を分離する長さと、を規定しており、
前記テザーは前記長さが初期長さ（Ｌ１）である初期状態を実現するように構成されており、
更に前記テザーは、第１の温度（Ｔ１）で前記初期状態から延伸されたときに延伸状態を自己保持するように構成されており、前記延伸状態の長さはＬ１を超える長さ（Ｌ２）であり、
その上さらに前記テザーは、Ｔ１より高い第２の温度（Ｔ２）まで加熱されたときに前記延伸状態から回復状態へ自己移行するように構成されており、前記回復状態の長さはＬ２未満である回復長さ（Ｌ３）である、テザーと、
前記第１端に取り付けられた第１の耳栓と、
前記第２端に取り付けられた第２の耳栓と、を備える、個人用聴覚保護器具と、
前記個人用聴覚保護器具を収容する密封パッケージと、
を含む、物品。